(57)【特許請求の範囲】
【請求項１】
浴室ユニットの床または壁に開口部または凹部を設け、該開口部または凹部に温水タンクの一部または全部が挿入される温水タンクの設置構造において、前記開口部または凹部は、中心軸線に対し左右対称形をなす平面形状に形成されているとともに、前記温水タンクへの入管及び／または温水タンクからの出管の接続部は、前記中心軸線上での前記開口部または凹部の平面と直交する面に対し左右の何れからでも配管路を接続可能に構成されていることを特徴とする温水タンクの設置構造。
【請求項２】
前記温水タンクの入管及び／または出管の接続部が、前記中心軸線上での前記開口部または凹部の平面と直交する面に対し左右何れ側へも回動移動できるように構成されていることを特徴とする請求項１に記載の温水タンクの設置構造。
【請求項３】
前記温水タンクの入管及び／または出管の接続部が、前記中心軸線上での前記開口部または凹部の平面と直交する面に対し左右両側にそれぞれ備えられ、必要に応じ左右何れか側を選択して配管路を接続可能に構成されていることを特徴とする請求項１に記載の温水タンクの設置構造。
【請求項４】
前記温水タンクの入管及び／または出管の接続部が、前記中心軸線上での前記開口部または凹部の平面と直交する面上に配置されていることを特徴とする請求項１に記載の温水タンクの設置構造。
【発明の詳細な説明】
【０００１】
【産業上の利用分野】
この発明は、温水タンクの設置構造に関するものである。
【０００２】
【従来の技術及びその課題】
従来、水栓金具への湯の供給は、浴室から離れた場所に設置された給湯器から行われているが、給湯器と浴室が離れているため、水栓金具の蛇口をひねってもすぐに湯が出なく、また、給湯器が燃焼を開始して温度が上がるまでの間は、配管内の冷水が水栓金具から吐出されてしまうという問題点があった。
また、従来、浴室の天井裏空間に温水保温タンクを設けて、給湯器からの給湯を温水保温タンクを介して水栓金具に供給するような構造のもの（特開平７−２７５１５１号公報）が存在するが、天井裏から水栓金具までは距離が遠く、蛇口をひねった時に、初期には水栓金具までの配管中の冷水が吐出されるという問題点があり、また、天井まで配管を立ち上げる分、配管の長さが長くなってしまうという問題点があった。
このような問題点を解決するために、発明者らは既に特願平１０−２０１１９８号として、浴室の床または壁に、タンク用の開口部と、それを塞ぐ蓋を設けて、この開口部付近の床下，壁裏に温水タンクを設置する構造を出願しているが、従来では、温水タンクを浴室ユニットの左側または右側の何れか側に設置する場合に、開口部の位置及び向きが反対に変わった場合では、それぞれ左用の温水タンクまたは右用の温水タンクの２種類のうち何れかを選択し、対応させて設置する必要があり、左用及び右用の２種類の温水タンクを用意しておく必要があり、コストが高くなってしまうという問題点があった。
【０００３】
【課題を解決するための手段】
本発明は上記従来の問題点に鑑み案出したものであって、浴室ユニットによって開口部の位置及び向きが反対側に変わった場合でも、１種類の温水タンクを良好に左右何れか側にも設置することができる設置構造を提供せんことを目的とし、その第１の要旨は、浴室ユニットの床または壁に開口部または凹部を設け、該開口部または凹部に温水タンクの一部または全部が挿入される温水タンクの設置構造において、前記開口部または凹部は、中心軸線に対し左右対称形をなす平面形状に形成されているとともに、前記温水タンクへの入管及び／または温水タンクからの出管の接続部は、前記中心軸線上での前記開口部または凹部の平面と直交する面に対し左右の何れからでも配管路を接続可能に構成されていることである。
また、第２の要旨は、前記温水タンクの入管及び／または出管の接続部が、前記中心軸線上での前記開口部または凹部の平面と直交する面に対し左右何れ側へも回動移動できるように構成されていることである。
また、第３の要旨は、前記温水タンクの入管及び／または出管の接続部が、前記中心軸線上での前記開口部または凹部の平面と直交する面に対し左右両側にそれぞれ備えられ、必要に応じ左右何れか側を選択して配管路を接続可能に構成されていることである。
また、第４の要旨は、前記温水タンクの入管及び／または出管の接続部が、前記中心軸線上での前記開口部または凹部の平面と直交する面上に配置されていることである。
【０００４】
【実施例】
以下、本発明の実施例を図面に基づいて説明する。
浴室ユニット１の底面は、図１において平面図で示すような防水パン２で構成されており、この防水パン２には、浴槽を設置する浴槽設置面２Ａと、洗い場面２Ｂが形成され、浴槽設置面２Ａの左右側には、それぞれ点検口３，３が開口形成されて、点検口３の近傍には、水配管４と湯配管５の一次配管の接続部が配置されており、点検口３からこの水配管４及び湯配管５の接続部の点検を行うことができるように構成されている。
【０００５】
本例では、この左右の点検口３，３は、それぞれ中心軸線Ｃに対し左右対称な平面形状に形成されたものとなっており、図２の概略図で示すように、この左右何れか側の開口部３，３にも１種類の温水タンクを設置できるように構成したものであり、温水タンクは図３の断面拡大図で、また図４の斜視図で示すように、開口部３に嵌まり込む形状に、上カバー９と下カバ８のそれぞれのフランジ部８ａ，９ａが形成されており、図４の上部配管１８が、前記開口部３の中心軸線Ｃに沿うように配置されており、この上部配管１８を中心として左右に対称形状にフランジ部８ａ，９ａが形成されている。
【０００６】
即ち、図３及び図４において温水タンクの構成を詳細に説明すると、温水タンク６の外周には断熱材７が巻着されて保温構造となっており、温水タンク６は下カバー８と上カバー９で包囲されて、下カバー８の上端には外側へ突出してフランジ部８ａが形成されており、このフランジ部８ａを前記防水パン２の点検口３上にパッキン等を介在させて被せて、水密状に点検口３を蓋することができ、ボルト等でこのフランジ部８ａを防水パン２に止め付けることができ、また、フランジ部８ａ上には、上カバー９の下端のフランジ部９ａを重合させてボルト等で止め付けることができ、点検等の際には、この上カバー９のみを取り外して、温水タンク６内を点検することができるように構成されている。
【０００７】
温水タンク６の上面には内部接続管１０が上方へ突出されており、この内部接続管１０は、上カバー９の上面にナット１５で固定された継手金具１１内に上下動可能に挿着され、温水タンク６内に水が入り、温水タンク６が重くなった時に、温水タンク６はその重量により下降して、下カバー８の下部に形成された支持傾斜面８ｂに下面部が当接して支持されるように構成されている。
【０００８】
なお、接続金具１６が継手金具１１の上端に接続されており、接続金具１６には、上部配管１８の先端側が接続され、また、逃がし弁１９が取り付けられている。
上部配管１８には出管部１８ａが形成されており、この出管部１８ａの外周の接続ネジ１８ｂには、図示しない浴室内に設けられた水栓に連通する配管路Ｒが接続されるものである。また、上部配管１８の右端側にも逃がし弁２０が設けられている。
【０００９】
上部配管１８の右端下部には、クイックワッシャ２１とオーリングＯを介して、水密かつ水平面内で回動可能に入管部２２が接続されており、この入管部２２の外周の接続ネジ２２ａには、図示しない離れた場所に設置された給湯器に連通する配管路Ｒが接続されて、給湯器からこの入管部２２内に湯が供給されるように構成されている。入管部２２の下端のフランジ２２ｂには回動管２３の上端のフランジ２３ａが接続されており、この回動管２３の下端部は、クイックワッシャ２５とオーリングＯを介して水密かつ回動可能に継手金具１１に接続されている。なお、回動管２３には水抜弁２４が取り付けられている。
【００１０】
この回動管２３の下部の継手金具１１は、前記上カバー９の上端側に設けられた継手金具１１と同様な構造のものであり、ナット１５を締め付けて上カバー９に固定されており、この継手金具１１内にも、下方側から下部配管２６の上端に設けられた接続管１０が、オーリングＯを介して水密状に上下方向へ摺動可能に挿着されている。
下部配管２６は温水タンク６の下側に回り込んで、温水タンク６の底面にオーリングＯを介し取り付けられた接続エルボ２７に接続されている。
なお、温水タンク６内には、温水タンク６内の水を加熱するためのヒーター２９が設けられており、このヒーター２９には外部から電気コード２８が接続されている。
【００１１】
このような構造では、浴室内の水栓金具の近くに温水タンク６をコンパクトに設置することができ、水栓金具の蛇口を開いた時に温水タンク内の温水を吐出させることができて、水栓金具からの初期冷水の吐出を少なくすることができるものである。即ち、給湯器からの配管中で冷やされている水が入管部２２から下部配管２６を通り温水タンク６内に入って、温水タンク６内で温められて、温水タンク６の内部接続管１０から上部配管１８に温められた湯が吐出され、この湯に入管部２２側からの水が混合されて、出管部１８ａから水栓側へ供給されるものである。
【００１２】
このように、入管部２２及び回動管２３が左右方向へ回動可能に構成されており、しかも本例では、この入管部２２及び回動管２３は、上カバー９及び下カバー８のフランジ部８ａ，９ａの中心軸線Ｃ上に立ち上がる面内に立設されており、前記上部配管１８は中心軸線Ｃに沿って配置されたものであり、出管部１８ａは中心軸線Ｃ上に立ち上げて形成されたものとなっている。
なお、図では、入管部２２のフランジ２２ｂと回動管２３のフランジ２３ａがボルトで連結されて、両者が一体で水平面内で回動できるように構成してあるが、この入管部２２と回動管２３は個別に回動するように構成しておいても良く、また、入管部２２のみが回動するように構成しておいても良い。
【００１３】
このような構成では、温水タンクを図２の浴槽Ｂの左側に位置する開口部３内に設置する場合には、開口部３に下カバー８のフランジ部８ａを水密状に固定し、上方より温水タンク６を嵌め込み、その上方より上カバー９を嵌めて設置することができ、この時に入管部２２を右側へ向けて回動移動させて、浴槽Ｂ側から、給湯器に接続されている配管路Ｒを接続することができるものである。また、出管部１８ａには、浴槽Ｂの近傍に設置される水栓金具が接続されるものであり、出管部１８ａは中心軸線Ｃ上に設けられているため、良好に水栓金具等を接続することができる。
【００１４】
同様に、温水タンクを図２の右側の開口部３に設置する場合にも、同一の温水タンク６及び上カバー９，下カバー８を用いて開口部３に設置することができ、この時には入管部２２を左側に回動移動させ、良好に浴槽Ｂ側から配管路Ｒを接続することができるものであり、また、出管部１８ａには水栓金具を接続することができるものである。
【００１５】
このように本例の温水タンクでは、浴室ユニットのＬ／Ｒによって開口部３の位置とか向きが反対に変わった場合にも、良好に設置することができ、開口部３は予め中心軸線Ｃに対し左右対称形状に形成されているため、配管路Ｒ及び水栓金具の接続は左右両側から可能であり、温水タンクは左用及び右用の２種類を用意する必要がなく、１種類のものを共用して左右何れか側にも良好に設置することができ、温水タンクは末端の水栓金具に近い位置に設置できるため、瞬時に温かい湯を水栓金具から供給できるものとなる。また、温水タンクは洗い場面２Ｂに近い位置に設置できて、施工やメンテナンスも容易に行うことができるものとなる。
【００１６】
なお、本例では、入管部２２を水平面内で回動可能に構成し、出管部１８ａは中心軸線Ｃ上に配置したものを例示しているが、逆に、出管部１８ａを左右方向に回動可能に構成して、入管部２２を中心軸線Ｃ上に配置したものでも良く、さらに、入管部２２及び出管部１８ａの両者が左右方向へ回動できるように構成しても良い。
また、さらに左右方向へ回動することができる構成の他に、入管部２２及び出管部１８ａとも、中心軸線Ｃに対し、左及び右にそれぞれ１個づつ接続部を固定状に形成しておいて、必要に応じ左右の何れか側の接続部を選択して接続し、使用しない側を盲栓で閉ざしておくような構成にすることも可能である。
【００１７】
なお、図５の斜視図、図６の平面図では、浴室内にカウンターＫが設けられ、このカウンターＫの下側に温水タンクを設置する場合の構成を示すものであり、カウンターＫが、浴室内の右側または左側の何れか側にある場合でも、１種類の温水タンクを良好に設置できるものであり、この場合にも入管部２２を左右側へ回動させて良好に配管路Ｒを接続することができるものである。
なお、カウンターＫの前側の前板Ｍを取り外して、点検等を容易に行うことができるものとなる。
【００１８】
【発明の効果】
本発明は、浴室ユニットの床または壁に開口部または凹部を設け、該開口部または凹部に温水タンクの一部または全部が挿入される温水タンクの設置構造において、前記開口部または凹部は、中心軸線に対し左右対称形をなす平面形状に形成されているとともに、前記温水タンクへの入管及び／または温水タンクからの出管の接続部は、前記中心軸線上での前記開口部または凹部の平面と直交する面に対し左右の何れからでも配管路を接続可能に構成されていることにより、浴室ユニットのタイプによって開口部または凹部の位置及び向きが反対に変わった場合にも、開口部または凹部の平面が左右対称であり、かつ入管，出管の接続部は左右両側の何れか側でも接続が可能であるため、温水タンクは左用，右用の２種類を用意する必要がなく、１種類のものを共通で左右何れか側にでも設置することができ、部品の種類が少なく、コストを低減させることができ、左右の何れか側にも同じ手順で良好に温水タンクを設置できるものとなる。
【００１９】
また、前記温水タンクの入管及び／または出管の接続部が、前記中心軸線上での前記開口部または凹部の平面と直交する面に対し左右何れ側へも回動移動できるように構成されていることにより、温水タンクを左側に設置する場合、または右側へ設置する場合に、良好に対応して、入管，出管を左右何れか側へ回動させて、配管路を左右の何れか側からでも接続することができるものとなる。
【００２０】
また、前記温水タンクの入管及び／または出管の接続部が、前記中心軸線上での前記開口部または凹部の平面と直交する面に対し左右両側にそれぞれ備えられ、必要に応じ左右何れか側を選択して配管路を接続可能に構成されていることにより、左右何れか側に温水タンクが設置されても、左右何れか側の接続部を利用して配管路を接続でき、使用しない側は盲栓等で蓋しておくことができる。
【００２１】
また、前記温水タンクの入管及び／または出管の接続部が、前記中心軸線上での前記開口部または凹部の平面と直交する面上に配置されていることにより、左右何れか側からでも良好に配管路が接続可能となる。
【図面の簡単な説明】
【図１】  浴室ユニットの底面を構成する防水パンの平面構成図である。
【図２】  図１の左右の開口部に温水タンクを設置した状態の概略構成図である。
【図３】  温水タンクの縦断面拡大構成図である。
【図４】  温水タンクの外観斜視構成図である。
【図５】  カウンターの下部に温水タンクを設置する場合の斜視構成図である。
【図６】  図５の平面構成図である。
【符号の説明】
２  防水パン
３  開口部
６  温水タンク
８  下カバー
９  上カバー
８ａ，９ａ  フランジ部
１８  上部配管
１８ａ  出管部
２１，２５  クイックワッシャ
２２  入管部
２２ａ，１８ｂ  接続ネジ
２２ｂ，２３ａ  フランジ
２３  回動管
Ｏ  オーリング
Ｂ  浴槽
Ｃ  中心軸線
Ｋ  カウンター
Ｒ  配管路
【図１】
0003713617.tif 000002
【図２】
0003713617.tif 000003
【図３】
0003713617.tif 000004
【図４】
0003713617.tif 000005
【図５】
0003713617.tif 000006
【図６】
0003713617.tif 000007